(57)【要約】【課題】スペースを有効に利用して発電を行うことを可能とする撮像素子及び撮像装置を提供する。【解決手段】撮像素子３に、入射光を電気信号に変換する複数の画素としてのフォトダイオード８をマトリクス状に配列し、その画素間ギャップに光起電力素子７を配置する。すなわち、フォトダイオード８と一列ごとに交互に配置されフォトダイオード８から導出された電気信号を転送する転送部としての垂直転送ライン１０を設け、光起電力素子７を垂直転送ライン１０の受光側に配置する。これにより光起電力素子７は垂直転送ライン１０の遮光部としての機能をも果たす。【選択図】図２
2007096201.tif 000002
【特許請求の範囲】
【請求項１】
入射光を電気信号に変換する複数の画素をマトリクス状に配列し、前記画素の画素間ギャップに光起電力素子を配置したことを特徴とする撮像素子。
【請求項２】
前記画素と一列ごとに交互に配置され前記画素から導出された電気信号を転送する転送部を備え、前記光起電力素子は前記転送部の受光側に配置されることにより前記転送部の遮光部としての機能を果たすことを特徴とする請求項１記載の撮像素子。
【請求項３】
請求項１又は請求項２記載の撮像素子を備えることを特徴とする撮像装置。
【請求項４】
前記光起電力素子は前記撮像装置の撮影動作中に発電して電力を蓄電し、前記撮像装置はＯＦＦ状態のときに前記電力を前記撮像装置に通電するサブＣＰＵを備えることを特徴とする請求項３記載の撮像装置。
【発明の詳細な説明】
【技術分野】
【０００１】
本発明は撮像素子及び撮像装置に係り、特に入射光を電気信号に変換する撮像素子及びその撮像素子を備えた撮像装置に関する。
【背景技術】
【０００２】
従来から、撮像装置に安定した電力供給を行うため、撮像装置の電源として様々な種類の電源が提案されている。
【０００３】
例えば、内蔵バッテリのほかに太陽電池を設け、太陽電池から電力を供給することにより撮像装置に必要な電力の供給を補う撮像装置が提案されている（特許文献１参照）。
【０００４】
このような太陽電池の構成としては、例えば、表示パネル周縁に、その表示パネルに重なった収納状態とその表示パネルから開いた展開状態との間で回動自在に軸支され、外光を受けて発電する太陽電池が提案されている（特許文献２）。
【特許文献１】特開平１０−０４２２０２号公報
【特許文献２】特開２００４−３２８１４１号公報
【発明の開示】
【発明が解決しようとする課題】
【０００５】
しかし、特許文献２記載の撮像装置では、太陽電池による発電を行う際に、太陽電池を表示パネルから開いた展開状態とする必要があることから、小型化が要求される撮像装置において電源の省スペース化を図ることができないという問題があった。
【０００６】
一方、近年撮像装置の主電源として使用される電池は大容量化しており、撮像期間の主電源のＯＦＦ期間に通電させるには、この大容量の主電源を使用しなければならないほど多くの電力は必要としていない。
【０００７】
本発明は上述した点に鑑みてなされたものであり、スペースを有効に利用して発電を行うことを可能とする撮像素子及び撮像装置を提供することにある。
【課題を解決するための手段】
【０００８】
上記課題を解決するため請求項１記載の発明は、撮像素子であって、入射光を電気信号に変換する複数の画素をマトリクス状に配列し、前記画素の画素間ギャップに光起電力素子を配置したことを特徴とする。
【０００９】
請求項１記載の発明によれば、画素ギャップ間に光起電力素子を配置することにより、撮像素子におけるスペースを有効に利用して発電を行うことが可能となり、これを電源として利用することができる。また、撮像素子が備える画素に光が入射するときは常に光起電力素子にも光が入射することから、撮像素子を使用した撮影時に光起電力素子による発電を同時に行ってその電力を蓄電しておくことが可能となる。
【００１０】
請求項２記載の発明は、請求項１記載の撮像素子であって、前記画素と一列ごとに交互に配置され前記画素から導出された電気信号を転送する転送部を備え、前記光起電力素子は前記転送部の受光側に配置されることにより前記転送部の遮光部としての機能を果たすことを特徴とする。
【００１１】
請求項２記載の発明によれば、請求項１と同様の作用が得られるほか、光起電力素子を転送部の受光側に配置することにより、光起電力素子に転送部への入射光を遮光させて、
転送部を構成する転送用ＣＣＤが光電変換を行わないようにすることができる。これにより、別途遮光部を設ける必要がなくなり、撮像素子の小型化を図ることが可能となる。
【００１２】
請求項３記載の発明は、撮像装置であって、請求項１又は請求項２記載の撮像素子を備えることを特徴とする。
【００１３】
請求項３記載の発明によれば、画素ギャップ間に光起電力素子を配置した撮像素子を備えることにより、光起電力素子により蓄電された電力を撮像装置の駆動に使用することが可能となる。また、小型化が可能な撮像素子を備えることにより、撮像装置内の省スペース化を図ることが可能となる。
【００１４】
請求項４記載の発明は、請求項３記載の撮像装置であって、前記光起電力素子は前記撮像装置の撮影動作中に発電して電力を蓄電し、前記撮像装置はＯＦＦ状態のときに前記電力を前記撮像装置に通電するサブＣＰＵを備えることを特徴とする。
【００１５】
請求項４記載の発明によれば、光起電力素子が蓄電した電力を撮像装置のＯＦＦ状態に通電する電力として活用することにより、撮像装置のＯＦＦ状態に大容量の主電源などを使用する必要はなく、電源の有効利用を図ることが可能となる。
【発明の効果】
【００１６】
請求項１記載の発明によれば、撮像素子におけるスペースを有効に利用して撮像素子内に電源を設け、撮影時に同時に蓄電を行うことが可能となる。
【００１７】
請求項２記載の発明によれば、請求項１と同様の効果が得られるほか、光起電力素子が転送部への入射光を遮光する機能を兼ねることが可能となり、撮像素子の小型化を図ることが可能となる。
【００１８】
請求項３記載の発明によれば、撮像装置において光起電力素子により蓄電された電力を使用することが可能となり、また、撮像装置内の省スペース化を図ることが可能となる。
【００１９】
請求項４記載の発明によれば、撮像装置のＯＦＦ状態における電源の有効利用を図ることが可能となる。
【発明を実施するための最良の形態】
【００２０】
以下、図面を用いて本発明の実施形態について説明する。
【００２１】
図１に、本実施形態に係る撮像装置１の全体構成を示す。
【００２２】
図１に示すように、撮像装置１はシャッタ２を介して入射光を受光する撮像素子３を備えている。
【００２３】
シャッタ２としては公知のシャッタ機構を用いることができる。シャッタ２にはシャッタモータ４及びシャッタ駆動回路５がこの順に接続されており、シャッタ駆動回路５が生成した駆動信号でシャッタモータ４を駆動することにより、シャッタ２の開閉が制御されるようになっている。
【００２４】
本実施形態に係る撮像素子３はＣＣＤ（Charge Coupled Devices）６及び光起電力素子７により構成されている。図２は、ＣＣＤ６及び光起電力素子７の構成を示す撮像素子３の断面図である。ＣＣＤ６には画素としてのフォトダイオード８がマトリクス状に配置されており、その画素ギャップ間に光起電力素子７が配置されている。
【００２５】
図２に示すように、ＣＣＤ６は、入射光を電気信号に光電変換する画素としてのフォトダイオード８と、フォトダイオード８から電荷を読み出すトランスファーゲート９と、読み出した電荷を垂直方向に転送する転送部としての垂直転送ライン１０と、垂直転送ライン１０に接続され電荷を水平方向に転送する水平転送ライン（図示略）と、垂直転送ライン１０の近傍に設けられ垂直転送ライン１０に電圧を印加する電極１１とから構成されている。
【００２６】
すなわち、本実施形態のＣＣＤ６は、受光部としての画素すなわちフォトダイオード８と、転送部としての垂直転送ライン１０とが一列ごとに交互に配置されたインターライン型のＣＣＤとして構成されている。
【００２７】
また、ＣＣＤ６の転送部としての垂直転送ライン１０の上部には、垂直転送ライン１０を構成する転送用ＣＣＤが光電変換を行わないよう、電極１１及び絶縁層１２を介して遮光部１３が設けられている。本実施形態の絶縁層１２は二酸化シリコンによって構成されている。また、遮光部１３はアルミニウムによって構成されている。また、フォトダイオード８の受光面及び遮光部１３の上面は、同様の絶縁層１２によって覆われている。
【００２８】
更に、ＣＣＤ６のギャップ間、すなわち遮光部１３の上面には、絶縁層を介して光起電力素子７が設けられている。このように、光起電力素子７はＣＣＤ６の遮光部１３の上面に設けられることから、ＣＣＤ６に光が入射するときは常に光起電力素子７にも光が入射するようになっている。また、光起電力素子７は転送部の受光側に配置されることから、転送部の遮光部としての機能も果たすようになっている。
【００２９】
ここで光起電力素子７とは、半導体のＰＮ接合部に光を照射すると電流や電圧を発生する受光素子であり、フォトダイオードやフォトトランジスタなどが該当するが、本実施形態では光起電力素子７としてｐｉｎ構造の太陽電池を用いている。
【００３０】
また、光起電力素子７の両面には電極１４，１５が設けられており、光起電力素子７が発電した電力は電極１４，１５からキャパシタ（図示略）に出力され蓄電されるようになっている。なお、電極１４，１５はＩＴＯ（Indium Tin Oxide）などの透明電極として構成することが可能である。
【００３１】
また、ＣＣＤ６の上部には、複数のマイクロレンズ１６が画素としてのフォトダイオード８に対応するようにマトリクス状に配置されている。図３に示すように、各マイクロレンズ１６は上に凸となるよう略半球状に形成されており、ＣＣＤ６の見かけ上の開口面積を拡大してＣＣＤ６の感度を向上させるようになっている。
【００３２】
また、図２に示すように、マイクロレンズ１６の下面には各画素に対応するようにＲＧＢのカラーフィルタ１７が配設されており、各画素に赤色、緑色またや青色のいずれかの色のフィルタをかけるようになっている。
【００３３】
以上の撮像素子３のうちＣＣＤ６には、図１に示すように、ＡＤコンバータ１８及びバッファメモリ１９を介して、画像処理部２０、圧縮・伸張部２１及びメモリカード２２がこの順に接続されている。また、バッファメモリ１９にはビデオコントローラ２３及びモニタ２４がこの順に接続されている。
【００３４】
ＡＤコンバータ１８は、ＣＣＤ６で光電変換された電気信号をアナログ信号からデジタル信号に変換するようになっている。
【００３５】
バッファメモリ１９は、ＡＤコンバータ１８から出力されたデジタル信号を一時格納するようになっている。そして、アフタービューのためのデジタル信号を画像処理部２０に送信すると共に、プレビュー表示のためのデジタル信号をビデオコントローラ２３に送信するようになっている。
【００３６】
画像処理部２０は、デジタル信号に対して黒基準補正、ＡＷＢ処理、色補間、色補正、階調変換及び色空間変換といった画像処理を行うようになっている。
【００３７】
圧縮・伸張部２１は、画像処理部２０から出力される電気信号（例えば、輝度信号や色差信号からなるカラー画像信号）を所定の画像サイズとするために、ＪＰＥＧなどの公知の圧縮方式を用いて圧縮して画像ファイルとしてメモリカード２２に記録し、また、メモリカード２２に記録された圧縮ファイルを伸張してカラー画像信号を生成するようになっている。
【００３８】
メモリカード２２は、画像処理後の画像データを記録するようになっている。
【００３９】
ビデオコントローラ２３は、バッファメモリ１９又はメモリカード２２から出力された電気信号に対して所定方式による処理を施すことにより、ＪＰＥＧ方式やＴＩＦＦ方式などの各方式に準拠したプレビュー用又はアフタービュー用の画像データを生成するようになっている。
【００４０】
モニタ２４は、カラー液晶パネルなどによって構成されており、プレビュー画面やアフタービュー画面を表示すると共に、各種の操作画面などを表示するようになっている。
【００４１】
また、撮像素子３が備えるＣＣＤ６、ＡＤコンバータ１８及びバッファメモリ１９にはタイミングジェネレータ２５が接続されている。タイミングジェネレータ２５は、クロックパルスを生成してＣＣＤ６、ＡＤコンバータ１８及びバッファメモリ１９に動作タイミング用のクロックを与えるようになっている。
【００４２】
更に、シャッタ駆動回路５、タイミングジェネレータ２５、画像処理部２０、圧縮・伸張部２１、メモリカード２２及びビデオコントローラ２３には、これらの各構成部分を制御するメインＣＰＵ２６が接続されている。また、メインＣＰＵ２６には電源としての主電池２７及び定電圧回路２８が接続されている。更に、メインＣＰＵ２６及び定電圧回路２８にはサブＣＰＵ２９が接続されている。
【００４３】
メインＣＰＵ２６は、ＲＡＭ及びＲＯＭ（いずれも図示略）を備えており、ＲＯＭに記録された処理プログラムをＲＡＭに展開してＣＰＵ２４によりこの処理プログラムを実行するようになっている。
【００４４】
このメインＣＰＵ２６は、定電圧回路２８から電圧を供給されるようになっており、サブＣＰＵ２９からの駆動開始指示信号により定電圧回路２８が駆動を開始することによって起動するようになっている。また、撮像装置１の初期設定を完了すると、サブＣＰＵ２９へ初期設定完了信号を送信するようになっている。また、メインＣＰＵ２６は、サブＣＰＵ２９からのＯＦＦ処理指示信号によりプレビュー画面を終了すると共にシャッタモータ４を駆動してシャッタ２を閉じ、サブＣＰＵ２９へＯＦＦ処理終了信号を送信するようになっている。
【００４５】
また、メインＣＰＵ２６は、サブＣＰＵ２９からの駆動開始終了信号により定電圧回路２８の駆動が終了すると、自動的に停止するようになっている。
【００４６】
主電池２７は、メインＣＰＵ２６及びサブＣＰＵ２９の電源であって、撮像装置１の各構成部分を駆動するために必要な電力を供給するようになっている。本実施形態では、主電池２７としてリチウム電池を用いている。
【００４７】
定電圧回路２８は、主電池からの電力を平滑してメインＣＰＵ２６及びサブＣＰＵ２９に所定の安定化電源を供給するようになっている。
【００４８】
サブＣＰＵ２９は、ＲＡＭ及びＲＯＭ（いずれも図示略）を備えており、ＲＯＭに記録された処理プログラムをＲＡＭに展開してサブＣＰＵ２９によりこの処理プログラムを実行するようになっている。
【００４９】
このサブＣＰＵ２９は、メインスイッチ３０ａがＯＮになるとＯＮモードとなり、定電圧回路２８に駆動開始指示信号を送信して、定電圧回路２８の駆動を開始させるようになっている。また、メインスイッチ３０ａから初期設定完了信号を受信すると、切替スイッチ３１に電源切替の指示信号を送信するようになっている。
【００５０】
また、サブＣＰＵ２９はメインスイッチ３０ａがＯＦＦになると、メインＣＰＵ２６にＯＦＦ処理指示信号を送信して、メインＣＰＵ２６に撮像動作の終了処理をさせるようになっている。更に、メインＣＰＵ２６からＯＦＦ処理終了信号を受信すると、定電圧回路２８に駆動終了指示信号を送信して、定電圧回路２８の駆動を終了させると共に、切替スイッチ３１に電源切替の指示信号を送信するようになっている。
【００５１】
また、サブＣＰＵ２９には各種のスイッチ３０が接続されている。スイッチ３０は、撮像装置１のＯＮ／ＯＦＦを制御するメインスイッチ３０ａや、撮影時に半押し操作によるＡＥ／ＡＦ処理と全押し操作による露光動作を可能とするレリーズスイッチ３０ｂなどを含んでいる。
【００５２】
更に、サブＣＰＵ２９には、切替スイッチ３１が接続されている。
【００５３】
切替スイッチ３１は、サブＣＰＵ２９の指示信号により、サブＣＰＵ２９に電力を供給する電源の切替を行うものである。この切替スイッチ３１には定電圧回路２８と撮像素子３が備える光起電力素子７とが接続されており、サブＣＰＵ２９のＯＮモードにおいては定電圧回路２８から電源を供給し、サブＣＰＵ２９のＯＦＦモードにおいては光起電力素子７から電源を供給するよう、電源の切り替えを行うようになっている。
【００５４】
すなわち、切替スイッチ３１は、メインＣＰＵ２６から初期設定完了信号を受信したサブＣＰＵ２９の指示信号により、サブＣＰＵ２９への電源供給を光起電力素子７から定電圧回路２８に切り替えるようになっている。
【００５５】
また、切替スイッチ３１は、メインＣＰＵ２６からＯＦＦ処理終了信号を受信したサブＣＰＵ２９の指示信号により、サブＣＰＵ２９への電源供給を定電圧回路２８から光起電力素子７に切り替えるようになっている。
【００５６】
次に、本実施形態に係る撮像素子３及び撮像装置１の動作について、図４のフローチャートを参照して説明する。なお、図４の左側はサブＣＰＵ２９の動作を表し、右側はメインＣＰＵ２６の動作を表している。
【００５７】
撮像装置１のメインスイッチ３０ａをＯＦＦとした状態では、サブＣＰＵ２９のみがＯＦＦモードで起動しており、時計機能の動作や撮影に関するパラメータの保持を行っている。一方、メインＣＰＵ２６は完全に停止している。
【００５８】
次に、メインスイッチ３０ａがＯＮとされると、サブＣＰＵ２９はＯＦＦモードからＯＮモードとなる（ステップＳ１）。続いて、ＯＮモードとなったサブＣＰＵ２９は、定電圧回路２８に駆動開始指示信号を送信する（ステップＳ２）。
【００５９】
続いて、定電圧回路２８が駆動されると、メインＣＰＵ２６は定電圧回路２８から電圧の供給を受けてＯＮ状態となる（ステップＳ３）。続いて、ＯＮ状態となったメインＣＰＵ２６は撮像装置１の初期設定を行い（ステップＳ４）、サブＣＰＵ２９に初期設定完了信号を送信する（ステップＳ５）。
【００６０】
続いて、切替スイッチ３１は、メインＣＰＵ２６から初期設定完了信号を受信したサブＣＰＵ２９の指示信号により、サブＣＰＵ２９への電源供給を光起電力素子７から定電圧回路２８に切り替える（ステップＳ６）。
【００６１】
次に、撮像装置１において初期設定が完了すると、通常の撮影動作が行われる。すなわち、メインＣＰＵ２６がシャッタ駆動回路５の駆動によりシャッタ２を開くと（ステップＳ７）、ＣＣＤ６の各画素が備えるフォトダイオード８は所定の動作タイミングのクロックにより入射光を光電変換して、トランスファーゲート９は各垂直転送ライン１０に電荷を一斉に転送し、電極１１は垂直転送ライン１０に電圧を印加して電気信号の読み出しを行う。
【００６２】
ここで、シャッタ２が開くと、ＣＣＤ６が備えるフォトダイオード８の受光面に光が入射すると同時に、光起電力素子７にも光が入射する。これにより、光起電力素子７は発電を行い、発電により得られた電力を電極１４，１５からキャパシタ（図示略）に出力して蓄電する。
【００６３】
続いて、ＣＣＤ６の光電変換により得られた電気信号はＡＤコンバータ１８によりデジタル信号に変換され、バッファメモリ１９に一時格納された後、ビデオコントローラ２３に送信される。続いて、ビデオコントローラ２３が所定の方式に準拠した表示用の画像データを生成し、モニタ２４はプレビュー画面を表示する（ステップＳ８）。
【００６４】
次に、レリーズスイッチ３０ｂを半押しするとメインＣＰＵ２６はシャッタ駆動回路５の駆動などによりＡＥ／ＡＦ処理を開始する（ステップＳ９）。
【００６５】
続いて、レリーズスイッチ３０ｂを全押しするとＣＣＤ６は露光動作を開始する（ステップＳ１０）。すなわち、ＣＣＤ６の各画素が備えるフォトダイオード８は所定の動作タイミングのクロックにより入射光を光電変換して、トランスファーゲート９は各垂直転送ライン１０に電荷を一斉に転送し、電極１１は垂直転送ライン１０に電圧を印加して電気信号の読み出しを行う。
【００６６】
続いて、ＣＣＤ６の光電変換により得られた電気信号はＡＤコンバータ１８によりデジタル信号に変換され、バッファメモリ１９に一時格納された後、画像処理部２０に送信される。続いて、画像処理部２０が電気信号に画像処理を施し、輝度信号や色差信号からなるカラー画像信号が出力されると、圧縮・伸張部２１がこれを所定サイズに圧縮してメモリカード２２に記録する（ステップＳ１１）。
【００６７】
続いて、ビデオコントローラ２３はメモリカード２２に記録された電気信号に基づいて表示用の画像データを生成し、モニタ２４はこの画像データに基づき、アフタービュー画面を所定時間表示する（ステップＳ１２）。その後、モニタ２４はプレビュー画面の表示を再開する（ステップＳ１３）。
【００６８】
このように、撮像装置１はメインスイッチ３０ａがＯＦＦとされない限り、上記ステップＳ８〜ステップＳ１３の撮影動作を繰り返す。
【００６９】
次に、メインスイッチ３０ａがＯＦＦとされると、サブＣＰＵ２９はメインＣＰＵ２６にＯＦＦ処理指示信号を送信する（ステップＳ１４）。これにより、メインＣＰＵ２６はプレビュー画面の表示を終了させると共に（ステップＳ１５）、シャッタ駆動回路５の駆動によりシャッタ２を閉じる（ステップＳ１６）。シャッタ２を閉じると、光起電力素子７に光が入射しなくなることから、光起電力素子７による発電も自動的に終了する。
【００７０】
次に、メインＣＰＵ２６はＯＦＦ処理を終了すると、サブＣＰＵ２９へＯＦＦ処理終了信号を送信する（ステップＳ１７）。続いて、ＯＦＦ処理終了信号を受信したサブＣＰＵ２９は、定電圧回路２８に駆動終了指示信号を送信する（ステップＳ１８）。これにより定電圧回路２８は駆動を終了し、定電圧回路２８から電圧の供給を受けていたメインＣＰＵ２６は完全に停止する（ステップＳ１９）。
【００７１】
また、切替スイッチ３１は、メインＣＰＵ２６からＯＦＦ処理終了信号を受信したサブＣＰＵ２９の指示信号により、サブＣＰＵ２９への電源供給を定電圧回路２８から光起電力素子７に切り替える（ステップＳ１８）。これによってサブＣＰＵ２９はＯＦＦモードとなり、以後は時計機能の動作や撮影に関するパラメータの保持を行う。
【００７２】
以上のように本実施形態の撮像素子３及び撮像装置１によれば、画素ギャップ間に光起電力素子７を配置することにより、撮像素子３におけるスペースを有効に利用して発電を行うことが可能となり、これを電源として利用することができる。また、撮像素子３が備える画素に光が入射するときは常に光起電力素子７にも光が入射することから、撮像素子３を使用した撮影時に光起電力素子７による発電を同時に行ってその電力を蓄電しておくことが可能となる。
【００７３】
また、光起電力素子７を転送部の受光側に配置することにより、光起電力素子７に転送部への入射光を遮光させて、転送部を構成する転送用ＣＣＤが光電変換を行わないようにすることができる。これにより、別途遮光部を設ける必要がなくなり、撮像素子３の小型化を図ることが可能となる。
【００７４】
また、撮像装置１が画素ギャップ間に光起電力素子７を配置した撮像素子３を備えることにより、光起電力素子７により蓄電された電力を撮像装置１の駆動に使用することが可能となる。また、撮像装置１が小型化が可能な撮像素子３を備えることにより、撮像装置１の内部の省スペース化を図ることが可能となる。
【００７５】
また、光起電力素子７が蓄電した電力を撮像装置１のＯＦＦ状態に通電する電力として活用することにより、撮像装置１のＯＦＦ状態に大容量の主電源などを使用する必要はなく、電源の有効利用を図ることが可能となる。
【００７６】
以上詳細に説明したように本発明の撮像素子及び撮像装置によれば、撮像素子におけるスペースを有効に利用して撮像素子内に電源を設け、撮影時に同時に蓄電を行うことが可能となる。
【００７７】
また、光起電力素子が転送部への入射光を遮光する機能を兼ねることが可能となり、撮像素子の小型化を図ることが可能となる。
【００７８】
また、撮像装置において光起電力素子により蓄電された電力を使用することが可能となり、また、撮像装置内の省スペース化を図ることが可能となる。
【００７９】
また、撮像装置のＯＦＦ状態における電源の有効利用を図ることが可能となる。
【図面の簡単な説明】
【００８０】
【図１】本実施形態に係る撮像装置の全体構成を示すブロック図である。
【図２】本実施形態に係る撮像装置の画素及び光起電力素子の構成を示す断面図である。
【図３】本実施形態に係るマイクロレンズを示す斜視図である。
【図４】本実施形態に係る撮像装置の動作を示すフローチャートである。
【符号の説明】
【００８１】
１  撮像装置
２  シャッタ
３  撮像素子
４  シャッタモータ
５  シャッタ駆動回路
６  ＣＣＤ
７  光起電力素子
８  フォトダイオード
９  トランスファーゲート
１０  垂直転送ライン
１１  電極
１２  絶縁層
１３  遮光部
１４，１５  電極
１６  マイクロレンズ
１７  カラーフィルタ
１８  Ａ／Ｄコンバータ
１９  バッファメモリ
２０  画像処理部
２１  圧縮・伸張部
２２  メモリカード
２３  ビデオコントローラ
２４  モニタ
２５  タイミングジェネレータ
２６  メインＣＰＵ
２７  主電池
２８  定電圧回路
２９  サブＣＰＵ
３０  スイッチ
３１  切替スイッチ
【図１】
2007096201.tif 000003
【図２】
2007096201.tif 000004
【図３】
2007096201.tif 000005
【図４】
2007096201.tif 000006